(57)【要約】【課題】地震等の想定外の振動に起因するスロッシングにより、原子力施設における燃料プール等の貯留槽の排気口から貯留水が溢れるのを防止すると共に、当該貯留水が排気口に連通する排気系統へと浸水することによる排気系統の腐食を未然に防止する。【解決手段】原子力施設における燃料プール２の壁部２１上方に設けられた換気系統の排気口２２を閉塞するための蓋部１１と、燃料プール２に貯留された貯留水に対して浮かぶフロート１２と、蓋部１１とフロート１２とを連結する支持ステー１３とを有する蓋体１０が、ヒンジ１４を介して壁部２１の排気口２２近傍に回動自在に取り付けられ、燃料プール２内の貯留水が上昇することに伴ってフロート１２が浮上することで、ヒンジ１４を支点として回動し、蓋部１１によって排気口２２を閉塞する。【選択図】図３
2018036195.tif 000002
【特許請求の範囲】
【請求項１】
原子力施設における貯留槽の排気口構造であって、
前記貯留槽の壁部上方に設けられた換気系統の排気口を閉塞するための蓋部と、
前記貯留槽に貯留された貯留水に対して浮かぶ浮体と、
前記蓋部と前記浮体とを連結する連結部と、を有する蓋体を備え、
前記蓋体は、前記壁部の前記排気口近傍に回動自在に取り付けられ、前記貯留槽内の貯留水が上昇することに伴って前記浮体が浮上することで回動し、前記蓋部によって前記排気口を閉塞する
ことを特徴とする貯留槽の排気口構造。
【請求項２】
前記蓋部は、前記排気口の形状に応じた形状をなしており、
前記連結部は、前記蓋部を前記排気口に対して均等に押し付け可能な位置に、少なくとも３つ設けられている
ことを特徴とする請求項１に記載の貯留槽の排気口構造。
【発明の詳細な説明】
【技術分野】
【０００１】
本発明は、貯留槽の排気口構造に関し、特に原子力施設における燃料プール等の貯留槽に設けられる排気口に好適なものである。
【背景技術】
【０００２】
従来から、原子力発電所などの原子力施設における貯留槽の一つである燃料プールにおいては、例えば燃料プールの外周上部に、当該燃料プール側に向けて傾斜した溢水防止フェンスを設置する等によって、地震等の想定外の振動に起因するスロッシングにより、燃料プール内の貯留水（使用済燃料を冷却するための冷却水）が溢水するのを防止する対策が施されている（例えば、特許文献１参照）。
【先行技術文献】
【特許文献】
【０００３】
【特許文献１】特開２０１１−１８５７９１号公報
【発明の概要】
【発明が解決しようとする課題】
【０００４】
しかしながら、燃料プールの壁部の上方に換気系統の排気口が設けられている場合、前述したスロッシングにより、排気口から燃料プール内の貯留水が溢れることにより、燃料プール内の貯留水が減り、使用済燃料の冷却に支障を来す虞があった。また、貯留水が排気口に流入した場合、この排気口に連通する排気ダクトへと貯留水が浸水し、当該排気ダクトの腐食を招く虞もあった。
【０００５】
そこで、本発明は上述したような問題に鑑みなされたものであり、地震等の想定外の振動に起因するスロッシングにより、原子力施設における燃料プール等の貯留槽の排気口から貯留水が溢れるのを防止することが可能な貯留槽の排気口構造を提供することを目的とする。
【課題を解決するための手段】
【０００６】
上記目的を達成するため、本発明に係る貯留槽の排気口構造は、
原子力施設における貯留槽の排気口構造であって、
前記貯留槽の壁部上方に設けられた換気系統の排気口を閉塞するための蓋部と、
前記貯留槽に貯留された貯留水に対して浮かぶ浮体と、
前記蓋部と前記浮体とを連結する連結部と、を有する蓋体を備え、
前記蓋体は、前記壁部の前記排気口近傍に回動自在に取り付けられ、前記貯留槽内の貯留水が上昇することに伴って前記浮体が浮上することで回動し、前記蓋部によって前記排気口を閉塞することを特徴とする。
【０００７】
これによれば、地震等の想定外の振動に起因するスロッシングが生じた場合であっても、貯留槽内の貯留水の水面が上昇することに伴って浮体が浮上することで蓋体が回動し、蓋部によって排気口を閉塞するので、原子力施設における燃料プール等の貯留槽の排気口から貯留水が溢れるのを防止できる。また、当該貯留水が排気口に連通する排気系統へと浸水することによる排気系統の腐食を未然に防止できる。
【０００８】
このとき、前記蓋部は、前記排気口の形状に応じた形状をなしており、
前記連結部は、前記蓋部を前記排気口に対して均等に押し付け可能な位置に、少なくとも３つ設けられていることが好ましい。
これによれば、蓋部を排気口に対して均等に押し付け可能な位置に連結部が配置されているので、蓋部によって排気口を確実に閉塞することができる。
【発明の効果】
【０００９】
本発明によれば、地震等の想定外の振動に起因するスロッシングにより、原子力施設における燃料プール等の貯留槽の排気口から貯留水が溢れるのを防止できると共に、当該貯留水が排気口に連通する排気系統へと浸水することによる排気系統の腐食を未然に防止できる。
【図面の簡単な説明】
【００１０】
【図１】本実施形態に係る原子力施設を概略的に示す構成図である。
【図２】本実施形態による排気口構造の要部を示す斜視図である。
【図３】本実施形態による排気口構造の説明に供する図であり、排気口の開状態を概略的に示す部分的断面図である。
【図４】本実施形態による排気口構造の説明に供する図であり、排気口の閉状態を概略的に示す部分的断面図である。
【発明を実施するための形態】
【００１１】
以下、本発明に係る貯留槽の排気口構造の一実施形態について図面を参照しながら説明する。なお、本発明は、請求の範囲および明細書全体から読み取ることのできる発明の要旨または思想に反しない範囲で適宜変更可能であり、そのような変更を伴う貯留槽の排気口構造もまた本発明の技術思想に含まれる。
【００１２】
図１に示すように、原子力施設１は、貯留槽としての燃料プール２と、当該燃料プール２に連設された原子炉ウィル３と、当該原子炉ウィル３に連設された蒸発乾燥器気水分離器ピット４と、を備えて構成されている。そして、本実施形態における排気口構造は、原子力施設１における燃料プール２の壁部２１上方に設けられた換気系統の排気口２２に設けられるものである。
【００１３】
この燃料プール２の壁部２１の排気口２２には、図２および図３に示すように、蓋体１０が排気口２２を閉塞可能なように設けられている。具体的に、蓋体１０は、排気口２２を閉塞するための蓋部１１と、燃料プール２に貯留された貯留水（使用済燃料を冷却するための冷却水）に対して浮かぶ浮体としてのフロート１２と、蓋部１１とフロート１２とを連結する連結部としての支持ステー１３と、を有して構成されている。
【００１４】
蓋体１０は、例えばヒンジ１４を介して壁部２１の排気口２２近傍に横方向に延びる軸を中心に回動自在に取り付けられている。そして、図４に示すように、燃料プール２内の貯留水の水面が上昇することに伴ってフロート１２が上昇することで、蓋体１０が、ヒンジ１４を支点として回動し、蓋部１１の押付面１１ａによって排気口２２を閉塞するようになっている。
【００１５】
このとき、蓋部１１は、排気口２２の形状に応じた形状をなすことが好ましく、例えば排気口２２が矩形状の場合は、蓋部１１も矩形状に形成される。また、支持ステー１３は、蓋部１１を排気口２２に対して均等に押し付け可能とする位置に設けられることが好ましく、少なくとも３つ（本実施形態では、矩形状をなす蓋部１１の四隅の位置に計４つ）設けられている。なお、支持ステー１３は、図３に示すように、蓋部１１が壁部２１に対して略垂直な状態（換言すれば、蓋部１１が水面と略平行となる水平な状態）において、フロート１２が壁部２１側に偏った位置となるように配設されている。このため、支持ステー１３は、排気口２２を閉塞した状態の蓋部１１に対して、フロート１２が水面よりも下方となる位置に配置されるように、これら蓋部１１とフロート１２とを連結する。さらに、フロート１２は、貯留水に対して浮かび易く、その水面に対してどの角度からも均一に接するという観点から球体形状で形成されることが好ましい。
これにより、蓋部１１を排気口２２に対して均等に押し付けることができ、当該蓋部１１の押付面１１ａによって排気口２２を確実に閉塞することができるようになっている。すなわち、支持ステー１３により、フロート１２が蓋部１１に対して、当該蓋部１１が排気口２２を閉塞した状態における水面よりも下方となる位置に配置されることで、水面が上昇するにつれ、排気口２２を閉塞する方向へ蓋部１１を回動させることができるので、当該排気口２２を閉塞する前に水面が排気口２２の最下部に達するまで上昇して排気口２２から貯留水が流出するのを未然に且つ確実に防止できる利点を備えている。
【００１６】
以上、説明したように、本実施形態による排気口構造では、地震等の想定外の振動に起因するスロッシングが生じた場合であっても、燃料プール２内の貯留水の水面が上昇することに伴ってフロート１２が浮上することで、蓋体１０がヒンジ１４を支点として回動し、蓋部１１の押付面１１ａによって排気口２２を閉塞するので、原子力施設１における燃料プール２等の貯留槽の排気口２２から貯留水が溢れるのを防止できると共に、当該貯留水が排気口２２に連通する排気系統（不図示）へと浸水することによる排気系統の腐食を未然に防止できる。
【００１７】
なお、上述した実施形態においては、フロート１２が球体形状からなる場合について述べたが、本発明はこれに限ることはなく、要は貯留水に対して確実に浮かぶ形状であれば、この他、様々な形状を広く適用できることは言うまでもない。
【００１８】
また、上述した実施形態では、蓋体１０の回動軸を横方向に延びるものとして説明したが、本発明はこれに限らず、要するに、フロート１２の上昇に応じて、蓋部１１が回動して排気口２２を閉塞できるようになっていれば、この他、種々の構成を広く適用できる。
【符号の説明】
【００１９】
１…原子力施設
２…燃料プール
２１…壁部
２２…排気口
３…原子炉ウィル
４…蒸発乾燥器気水分離器ピット
１０…蓋体
１１…蓋部
１１ａ…閉塞面
１２…フロート（浮体）
１３…支持ステー（連結部）
１４…ヒンジ
【図１】
2018036195.tif 000003
【図２】
2018036195.tif 000004
【図３】
2018036195.tif 000005
【図４】
2018036195.tif 000006